(57)【要約】【課題】樹脂製の筐体に強い衝撃が加わった際に、筐体の外面的な破損はもとより、筐体角部内部の締結ボスの破損を確実に防止する。【解決手段】最中合わせに組み立てられて本体筐体９を形作る表裏一対のベース筐体１１とカバー筐体１２の一方の筐体（例えばベース筐体１１）に形成した開口部１６に外部から段付形状の緩衝部材２０を密に挿入し、この緩衝部材２０の先端を他方の筐体（例えばカバー筐体１２）の内面から延びる締結ボス１７に当接させつつ緩衝部材２０の段付部２２をベース筐体１２の外面に当接させ、かつ緩衝部材２０の軸心部に挿通した締結部材２５を締結ボス１７に締結することにより、緩衝部材２０と締結部材２５を介してベース筐体１１とカバー筐体１２を一体に固定した。【選択図】  図２
2006277496.tif 000002
【特許請求の範囲】
【請求項１】
開口部を有する第１の筐体と、
上記第１の筐体に結合されるとともに、上記第１の筐体に結合された際に上記開口部と対向する締結ボスが一体に設けられた第２の筐体と、
上記第１の筐体の開口部に挿入され上記第２の筐体の締結ボスに当接する挿入ボスおよび上記第１の筐体外部に位置する段付部を具備する緩衝部材と、
上記挿入ボスを介して上記締結ボスにねじ止めされる締結部材と、
を具備することを特徴とする電子機器。
【請求項２】
上記段付部は脚部であることを特徴とする請求項１記載の電子機器。
【請求項３】
上記開口部は上記第１の筐体の角部に形成され、上記締結ボスは上記第２の筐体の角部に形成されることを特徴とする請求項１記載の電子機器。
【請求項４】
上記第１の筐体の側壁と上記第２の筐体の側壁との間には間隙が設けられていることを特徴とする請求項１記載の電子機器。
【請求項５】
第１の開口部を有する第１の筐体と、
上記第１の筐体に結合されるとともに、上記第１の筐体に結合された際に上記第１の開口部と対向する第２の開口部が設けられた第２の筐体と、
上記第１の筐体の第１の開口部に挿入される挿入ボスが設けられるとともに上記第１の筐体の外面に当接する第１のカバー部および上記第２の筐体の第２の開口部に挿入され上記第１の開口部に挿入された挿入ボスと当接する締結ボスが設けられるとともに上記第２の筐体の外面に当接する第２のカバー部とを有する緩衝部材と、
上記挿入ボスを介して上記締結ボスにねじ止めされる締結部材と、
を具備することを特徴とする電子機器。
【請求項６】
上記第１の筐体の側壁と上記第２の筐体の側壁との間には間隙が設けられ、上記第１のカバー部及び第２のカバー部は夫々上記第１の筐体と第２の筐体との側面に回りこみ上記間隙に位置する介装部を有することを特徴とする請求項５記載の電子機器。
【請求項７】
上記第２のカバー部は脚部であることを特徴とする請求項６記載の電子機器。
【発明の詳細な説明】
【技術分野】
【０００１】
本発明は、樹脂製の筐体を備えたラップトップ型またはノート型（ブック型）等と呼ばれるワードプロセッサー、パーソナルコンピューター、電子辞書等の電子機器に関するものである。
【背景技術】
【０００２】
この種の電子機器の多くは持ち運び可能で利便性が高い反面、落下、衝撃等により破損しやすい樹脂製の筐体を備えているため、机上等に載置する際や移動時における耐衝撃性が望まれている。
【０００３】
従来の電子機器の筐体は本体とこの本体に回動可能に接続される表示部とを備えている。本体はベース筐体とこのベース筐体に固定されるカバー筐体とを備えている。ベース筐体とカバー筐体との角部内面には一体にボスが形成されており、ねじを介して互いに結合されている。
【０００４】
このような筐体を落下させたり、机上等に衝突させたような場合には、ボスの基部や先端部付近が破損しやすい。そこで、例えば特許文献１に開示されているように、筐体のコーナー外部に緩衝材を設けたり、筐体の側面全周に亘って外部から緩衝材を被装した電子機器がある。
【特許文献１】特開平７−１１０７２６号公報
【発明の開示】
【発明が解決しようとする課題】
【０００５】
しかしながら、上記特許文献１に開示されている緩衝構造は筐体の外面を緩衝部材で被装しただけであるため、筐体の角部に強い衝撃が加わった際に外面的な破損は防止できても、筐体のコーナー内部のボスの破損を防ぐことは難しかった。
【０００６】
また、ベース筐体、カバー筐体とが直接ねじ固定されているために相対移動できず、筐体の水平方向の衝撃がベース筐体あるいはカバー筐体のいずれかに加わった場合に、ボスに強い曲げ過重（せん断加重）が加わって破損する懸念が高かった。
【０００７】
本発明は、上記問題点を解決するためになされたものであり、耐衝撃性を向上することが可能な電子機器を提供することを目的とする。
【課題を解決するための手段】
【０００８】
上記目的を達成するため、本発明に係る電子機器は、開口部を有する第１の筐体と、上記第１の筐体に結合されるとともに、上記第１の筐体に結合された際に上記開口部と対向する締結ボスが一体に設けられた第２の筐体と、上記第１の筐体の開口部に挿入され上記第２の筐体の締結ボスに当接する挿入ボスおよび上記第１の筐体外部に位置する段付部を具備する緩衝部材と、上記挿入ボスを介して上記締結ボスにねじ止めされる締結部材と、を具備することを特徴とする。
【０００９】
さらに本発明に係る電子機器は、第１の開口部を有する第１の筐体と、上記第１の筐体に結合されるとともに、上記第１の筐体に結合された際に上記第１の開口部と対向する第２の開口部が設けられた第２の筐体と、上記第１の筐体の第１の開口部に挿入される挿入ボスが設けられるとともに上記第１の筐体の外面に当接する第１のカバー部および上記第２の筐体の第２の開口部に挿入され上記第１の開口部に挿入された挿入ボスと当接する締結ボスが設けられるとともに上記第２の筐体の外面に当接する第２のカバー部とを有する緩衝部材と、上記挿入ボスを介して上記締結ボスにねじ止めされる締結部材と、を具備することを特徴とする。
【発明の効果】
【００１０】
本発明に係る電子機器によれば、耐衝撃性を向上することが可能な電子機器を提供することができる。
【発明を実施するための最良の形態】
【００１１】
以下、本発明の実施形態を図面に基づいて説明する。
【００１２】
図１は、本発明の第１実施形態が適用された電子機器の一例を示すノート型パーソナルコンピューターの斜視図である。このパーソナルコンピューター１は、本体２に表示部３がヒンジ装置４を介して開閉可能に接続されている。本体２の上面にはキーボード５やカーソル操作部６等が設けられている。表示部３内部には液晶表示パネル（ＬＣＤ）７が設けられている。
【００１３】
本体２は、樹脂製の本体筐体９を有しており、本体筐体９はベース筐体１１（第１の筐体)と、このベース筐体１１に結合されるカバー筐体（第２の筐体)１２とを備えている。また、表示部３は樹脂製の表示部筐体１０を有しており、表示部筐体１０はベース筐体１３と、このベース筐体１３に結合されるマスク筐体１４とを有している。マスク筐体１４は内蔵されているＬＣＤ７を露出するための露出開口部１５を有している。
【００１４】
図２は図１のII-II線に沿って切断した本体筐体９の角部の縦断面図であり、本発明の第１実施形態を示している。ここで、ベース筐体１１の角部底面には開口部１６が形成され、カバー筐体１２の内面には開口部１６に対向する位置に締結ボス１７が一体形成されている。締結ボス１７には金属ナット１８が埋設されている。金属ナット１８は締結ボス１７の先端よりも数ミリ程度突出している。
【００１５】
ベース筐体１１の開口部１６には外部下方からゴム等の衝撃吸収材料により形成された段付形状の緩衝部材である脚部材２０が挿入される。この脚部材２０は筒状の挿入ボス２１（ボス部)と段付部２２とを具備し、挿入ボス２１は開口部１６に外部から密に挿入可能な外径となっている。逆に段付部２２は開口部１６を通らない外径を有している。段付部２２はコンピュータ１を机上等に設置する際の脚部として機能する。
【００１６】
挿入ボス２１の長さは、挿入ボス２１が開口部１６に挿入されてその先端がカバー筐体１２の内面から延びる締結ボス１７に当接すると同時に段付部２２がベース筐体１１の下面に当接する長さに設定される。
【００１７】
挿入ボス２１の軸心部には円柱孔２４が形成され、ここに外部からねじ等の締結部材２５が挿通されて締結ボス１７（金属ナット１８）に締結される。これにより、脚部材２０と締結部材２５を介してベース筐体１１とカバー筐体１２とが一体に固定される。
【００１８】
金属ナット１８が締結ボス１７の先端から数ミリ程度突出しているため、締結部材１７による締結力が脚部材２０（挿入ボス２１）に加わることがなく、脚部材２０が締結部材２５に押し潰されることがない。
【００１９】
上記のように構成した場合、脚部材２０がそのまま緩衝部材として機能し、コンピュータ１が机上等に載置される際の衝撃を吸収して締結ボス１７に衝撃を伝えないため、本体筐体９を破損から保護することができる。特に、脚部材２０（挿入ボス２１）の先端が締結ボス１７に当接されて締結されるため、脚部材２０の弾力により衝撃が締結ボス１７に直接作用することがなく、締結ボス１７の破損を確実に防止することができる。しかも、脚部材２０が緩衝部材を兼ねるため、部品点数を削減してコンピューター１の生産性を高めることができる。
【００２０】
図３は、本発明の第２実施形態を示している。ここでも、第１実施形態と同様にベース筐体１１（第１の筐体）の角部底面に開口部１６が形成され、カバー筐体１２（第２の筐体）には開口部１６に対向する位置に締結ボス１７が一体形成されて金属ナット１８が埋設されている。
【００２１】
ベース筐体１１の開口部１６には外部下方から第１実施形態とほぼ同様な形状の脚部材３０が挿入される。この脚部材３０は筒状の挿入ボス３１と段付部３２とを備えている。挿入ボス３１は開口部１６に外部から密に挿入可能な外径を持ち、段付部３２は開口部１６を通らない外径を持つ。
【００２２】
挿入ボス３１の長さは第１実施形態と同様であり、挿入ボス３１の軸心部には円柱孔３４が形成される。円柱孔３４にはねじ等の締結部材２５が挿通され、締結ボス１７（金属ナット１８）に締結されることで、脚部材３０と締結部材２５を介してベース筐体１１とカバー筐体１２とが一体に固定される。
【００２３】
挿入ボス３１の外周には全周に亘って楔断面形状のストッパー３６が形成されている。このストッパー３６は挿入ボス３１が開口部１６に挿入された時にベース筐体１１の内面に当接し、挿入ボス３１が開口部１６から抜脱方向（下方）へ移動することを防止する抜脱防止部材として機能する。
【００２４】
一方、ベース筐体１１の側壁とカバー筐体１２の側壁との間には０．５mm〜２．０mm程度の間隙３７が設けられている。この間隙３７は例えば外部からの塵埃や水等の侵入を防止するクランク断面形状に形成される。この間隙３７を設けたことにより、ベース筐体１１とカバー筐体１２とは互いに縦軸方向Ｚと横軸方向Ｘに相対移動することができる。挿入ボス３１の外周に形成されたストッパー３６は、挿入ボス３１が開口部１６から抜脱する（ずれる）ことを阻止して間隙３７の幅を一定の大きさに保つ。
【００２５】
このように、ベース筐体１１とカバー筐体１２との間に間隙３７を設けたことにより、ベース筐体１１またはカバー筐体１２にのみ衝撃が加わった際には、図４に示すように脚部３０（挿入ボス３１）が弾性変形してベース筐体１１とカバー筐体１２との間が縦軸方向Ｚおよび横軸方向Ｘに弾性的に相対移動し、コンピュータ１に与えられた衝撃が吸収される。このため、本体筐体９の外部破損、締結ボス１７の破損を効果的に防止することができる。特に本体筐体９を落下させた場合には本体筐体９の角部においてベース筐体１１またはカバー筐体１２の一方に衝撃が加わる確率が高いため、本構造により締結ボス１７の破損を非常に効果的に防止することができる。
【００２６】
図５は、本発明の第３実施形態を示すノート型パーソナルコンピューターの斜視図である。このパーソナルコンピューター１００は、図１に示すパーソナルコンピューター１と同様に、その本体２と表示部３がそれぞれ樹脂製の本体筐体９、表示部筐体１０を備えている。本体筐体９は、ベース筐体１１（第１の筐体）と、このベース筐体１１に結合されるカバー筐体１２（第２の筐体）とを備えている。また、表示部３は表示部筐体１０を有しており、表示部筐体１０はベース筐体１３と、このベース筐体１３に結合されるマスク筐体１４とを有している。そして、本体筐体９の角部に緩衝部材４０が設けられている。
【００２７】
図６は図５のVI-VI線に沿って切断した本体筐体９の角部および緩衝部材４０の縦断面図である。ベース筐体１１の角部には第１の開口部４１が設けられ、カバー筐体１２の角部には第２の開口部４２が第１の開口部４１と対向して形成されている。
【００２８】
一方、緩衝部材４０はゴム等の衝撃吸収材料により形成され、ベース筐体１１側の角部を外部から覆う第１のカバー部４４と、カバー筐体１２側の角部を外部から覆う第２のカバー部４５とを備えている。第１のカバー部４４と第２のカバー部４５の内面にはそれぞれ挿入ボス４６と締結ボス４７が一体形成され、締結ボス４７は挿入ボス４６に対向しており金属ナット４８が埋設されている。
【００２９】
挿入ボス４６と締結ボス４７はそれぞれ開口部４１，４２に外部から密に挿入可能な外径を持ち、カバー部４４と挿入ボス４６との間、およびカバー部４５と締結ボス４７との間が段付部５０，５１となって緩衝部材４０（カバー部４４，４５）に段付形状を付与している。
【００３０】
挿入ボス４６と締結ボス４７の長さは、挿入ボス４６と締結ボス４７がそれぞれ開口部４１，４２に挿入されてその先端が互いに当接すると同時に段付部５０，５１がベース筐体１１とカバー筐体１２の外面に当接する長さに設定されている。
【００３１】
ベース筐体１１の側壁とカバー筐体１２の側壁との間には１．０mm〜３．０ｍｍ程度の間隙５３が設けられる一方、各々のカバー部４４，４５には間隙５３に介装されて間隙を一定の大きさに保つ介装部５４，５５が設けられる。間隙５３により、ベース筐体１１とカバー筐体１２とは互いに縦軸方向Ｚと横軸方向Ｘに相対移動することができる。挿入ボス４６の軸心部には円柱孔５７が形成され、ここに外部からねじ等の締結部材５８が挿通されて締結ボス４７（金属ナット４８）に締結される。
【００３２】
これにより、緩衝部材４０（カバー部４４，４５）と締結部材５８を介してベース筐体１１とカバー筐体１２とが一体に固定され、ベース筐体１１とカバー筐体１２との間に各カバー部４４，４５の介装部５４，５５が挟まれる態様となる。なお、金属ナット４８が締結ボス４７の先端から数ミリ程度突出しているので締結部材５８の締結力が挿入ボス４６に加わらず、挿入ボス４６が締結部材５８に押し潰される懸念がない。
【００３３】
このような緩衝部材４０（カバー部４４，４５）を設けたことにより、コンピュータ１を落下させた際における本体筐体９（ベース筐体１１、カバー筐体１２）の角部の破損を効果的に防止することができる。
【００３４】
しかも、ベース筐体１１とカバー筐体１２との間に間隙５３を設け、カバー部４４，４５に設けた介装部５４，５５を間隙５３に介装したことにより、コンピュータ１を落下させる等してベース筐体１１またはカバー筐体１２の片方にのみ強い衝撃が加わった際には、図７に示すようにベース筐体１１とカバー筐体１２との間が縦軸方向Ｚおよび横軸方向Ｘに弾性的に相対移動し、挿入ボス４６と締結ボス４７と介装部５４，５５が弾性変形して衝撃を吸収する。したがって、この点でも本体筐体９の破損を効果的に防止することができる。
【００３５】
特に、ベース筐体１１とカバー筐体１２との間が近付く方向に相対移動した際には、間隙５３に介装された介装部５４，５５が圧縮変形することによってベース筐体１１、カバー筐体１２に加わる曲げ応力が軽減されるため、破損が効果的に防止される。
【００３６】
しかも、本体筐体９の少なくとも角部を外部から覆う弾力性に富んだカバー部４４，４５の内面に挿入ボス４６と締結ボス４７を一体に形成して緩衝部材４０を構成したので、挿入ボス４６と締結ボス４７に弾力性を持たせて破損しにくくすると同時に、本体筐体９の角部外面を有効に保護することができる。
【００３７】
図８は本発明の第４実施形態を示す筐体と緩衝部材の縦断面図である。基本的な構成は第３実施形態（図６）のものと同様であるが、ベース筐体１１とカバー筐体１２の表面にカバー部４４，４５の厚みを収容する段部６１，６２が形成されている。このため、ベース筐体１１とカバー筐体１２の表面と緩衝部材４０（カバー部４４，４５）の表面とが滑らかな連続面をなし、外観を向上させている。
【００３８】
また、本体筐体９の角部下面側を覆うカバー部４４に脚部６３が一体形成されている。これにより、専用の脚部を設ける必要がなくなるため、部品点数を削減して生産性を向上させることができる。脚部６３は挿入ボス４６および円柱孔５７と同芯状に形成される。
【００３９】
図９は本発明の第５実施形態を示す筐体と緩衝部材の縦断面図である。ここでは、本体筐体９のベース筐体１１（第１の筐体）とカバー筐体１２（第２の筐体）の角部にそれぞれ開口部７１（第１の開口部）と開口部７２（第２の開口部）が対向して形成され、ベース筐体１１とカバー筐体１２の間に１．０mm〜５．０mm程度の間隙７３が設けられている。
【００４０】
一方、緩衝部材７５はゴム等の衝撃吸収材料により形成され、ベース筐体１１側の少なくとも角部を外部から覆う裏側カバー部７６（第１のカバー部）と、カバー筐体１２側の少なくとも角部を外部から覆う表側カバー部７７（第２のカバー部）と、ベース筐体１１およびカバー筐体１２の側面を覆う側面カバー部７８とが連続する一体構造となっている。
【００４１】
裏側カバー部７６と表側カバー部７７の内面には、それぞれテーパーグロメット形状の挿入ボス８０と締結ボス８１が対向して一体形成されている。この挿入ボス８０と締結ボス８１はそれぞれベース筐体１１とカバー筐体１２の開口部７１，７２に密に挿入される。その際、両ボス８０，８１のテーパーグロメット形状により開口部７１，７２からの抜脱が防止される。締結ボス８１には金属ナット８２が埋設される一方、挿入ボス８０の軸心部には円柱孔８３が形成され、ここに外部からねじ等の締結部材８４が挿通されて締結ボス８１（金属ナット８２）に締結される。
【００４２】
また、側面カバー部７８の内面には介装部８５が一体に形成され、この介装部８５がベース筐体１１とカバー筐体１２との間の間隙７３に介装される。
【００４３】
本構成による作用、効果は第３実施形態（図６）と同様であるが、それらに加えて、緩衝部材７５が裏側カバー部７６と表側カバー部７７と側面カバー部７８とを有する一体構造であるため、部品点数を削減するとともに、緩衝部材７５の側面に継目ができることを防止して外観性を向上させることができる。
【００４４】
なお、上記実施形態２〜５では各緩衝部材がパーソナルコンピューターの本体２を構成する本体筐体９の角部のみを覆う構成であるが、本体筐体９の角部のみならず、表示部３を構成する筐体１０の角部や、他のより広い範囲を覆うように各緩衝部材を形成してもよい。
【００４５】
また、本発明はパーソナルコンピューターのみならず、ワードプロセッサー、電子辞書、電子手帳、携帯電話等、樹脂製の筐体を備えたあらゆる電子機器に幅広く応用することができる。
【図面の簡単な説明】
【００４６】
【図１】本発明の第１実施形態が適用された電子機器の一例を示すノート型パーソナルコンピューターの斜視図。
【図２】図１のII-II線に沿って切断した筐体の角部縦断面により本発明の第１実施形態を示す図。
【図３】本発明の第２実施形態を示す縦断面図。
【図４】本発明の第２実施形態の作用を示す縦断面図。
【図５】本発明の第３実施形態が適用された電子機器の一例を示すノート型パーソナルコンピューターの斜視図。
【図６】図５のVI-VI線に沿って切断した筐体の角部および緩衝部材の縦断面により本発明の第３実施形態を示す図。
【図７】本発明の第３実施形態の作用を示す縦断面図。
【図８】本発明の第４実施形態を示す筐体と緩衝部材の縦断面図。
【図９】本発明の第５実施形態を示す筐体と緩衝部材の縦断面図。
【符号の説明】
【００４７】
１  電子機器
２  本体
３  表示部
４  ヒンジ装置
５  キーボード
７  液晶表示パネル
９  本体筐体
１１  ベース筐体（第１の筐体）
１２  カバー筐体（第２の筐体）
１６  開口部
４１，７１  開口部（第１の開口部）
４２，７２  開口部（第２の開口部）
１７，４７，８１  締結ボス
１８，４８，８２  金属ナット
２０，３０  緩衝部材として機能する脚部材
２１，３１，４６，８０  挿入ボス
２２，３２，５０，５１  段付部
２４，３４，５７，８３  円柱孔
２５，５８，８４  締結部材
３６  ストッパー
３７，５３，７３  間隙
４０，７５  緩衝部材
４４  カバー部（第１のカバー部）
４５  カバー部（第２のカバー部）
５４，５５，８５  介装部
６１，６２  段部
６３  脚ボス
７６  裏側カバー部（第１のカバー部）
７７  表側カバー部（第２のカバー部）
７８  側面カバー部
【図１】
2006277496.tif 000003
【図２】
2006277496.tif 000004
【図３】
2006277496.tif 000005
【図４】
2006277496.tif 000006
【図５】
2006277496.tif 000007
【図６】
2006277496.tif 000008
【図７】
2006277496.tif 000009
【図８】
2006277496.tif 000010
【図９】
2006277496.tif 000011